(57)【要約】信号集光器（５０）からの光学信号（６０）を受信するための受光装置であって、この集光器（５０）からの光学信号（６０）を受信するための検出器（４０）と、信号（６５）の少なくとも一部が通過する開口部（４７）を有する信号のマスク（４５）と、を有し、このマスク（４５）は、集光器（５０）と検出器（４０）との間で信号の光軸（６６）に沿って位置し、この信号のマスク（４５）の位置は、信号（６５）を検出器（４０）のサチュレーションの閾値未満に減衰させるような位置であり、信号（６５）の共役像平面（７０ａ）は、マスク（４５）と一致するところからこのマスク（４５）と検出器（４０）との間の範囲内に位置している、受光装置。
2008516446.tif 000002
【特許請求の範囲】
【請求項１】
信号集光器からの光学信号を受信するための受光装置であって、この集光器からの光学信号を受信するための検出器と、前記信号の少なくとも一部が通過する開口部を有する信号のマスクと、を具備し、このマスクは、前記集光器と検出器との間で前記信号の光軸に沿って位置し、この信号のマスクの位置は、前記信号を前記検出器のサチュレーションの閾値未満に減衰させるような位置であり、前記信号の共役像平面は、前記マスクと一致するところからこのマスクと検出器との間の範囲内に位置している、受光装置。
【請求項２】
前記信号は、前記集光器に達する前に、ターゲットから向き付けられる請求項１に係る装置。
【請求項３】
前記信号の共役像平面は、前記ターゲットが遠視野にある場合に、前記マスクと一致している請求項２に係る装置。
【請求項４】
前記開口部は、前記検出器よりも面積が小さい前記全ての請求項のいずれか１に係る装置。
【請求項５】
前記マスクの寸法は、いかなる断面でも、検出器の同じ断面での対応する寸法以下である請求項４に係る装置。
【請求項６】
前記マスクに近接し、前記検出器から離れて位置している光学フィルタをさらに具備し、その結果、前記開口部を通過する前記信号は、このフィルタも通過する前記全ての請求項のいずれか１に係る装置。
【請求項７】
所定の複数のパラメータに基づいて信号のゲインを調節するための自動的な光学ゲイン補正装置をさらに具備し、前記パラメータは、許容可能な信号レベルと前記検出器のサチュレーションとの組合せ又はこれらの一方である前記全ての請求項のいずれか１に記載の装置。
【請求項８】
前記集光器は、少なくとも１つのレンズとミラーとの組合せ、又はこれらの少なくとも１つを有する前記全ての請求項のいずれか１に係る装置。
【請求項９】
レーザ走査システム、バーコードスキャナ、コピー機、走査顕微鏡、光ピックアップ、遠隔制御装置、カメラモジュール、赤外線通信装置、又は航空機ライン走査システムの受光システムとして用いられるために適用される前記全ての請求項のいずれか１に係る装置。
【請求項１０】
前記ターゲットは、バーコードである請求項２乃至９のいずれか１に係る装置。
【請求項１１】
単一の要素として構成される前記全ての請求項のいずれか１に係る装置。
【請求項１２】
ハウジングをさらに具備し、前記集光器と、マスクと、検出器とは、このハウジングに取り付けられている前記全ての請求項のいずれか１に係る装置。
【請求項１３】
ハウジングをさらに具備し、前記集光器と、マスクと、検出器とは、このハウジングと一体である請求項１乃至１１のいずれか１に係る装置。
【請求項１４】
前記ハウジングは、単一の部品として射出成形される請求項１２に係る装置。
【請求項１５】
前記集光器から前記マスクまでの距離は、この集光器から前記装置の作動範囲内の前記共役像平面までの距離以下である前記全ての請求項のいずれか１に係る装置。
【請求項１６】
前記集光器から前記装置の作動範囲内の前記共役像平面までの距離は、この集光器から前記検出器までの距離未満である前記全ての請求項のいずれか１に係る装置。
【請求項１７】
前記マスクは、固定された開口部、調節可能な開口部、開口部ディスク、ストップ、シャッタ、ホール、コーティングされた基板、又は光学帯域通過フィルタのいずれかである前記全ての請求項のいずれか１に係る装置。
【請求項１８】
前記マスクは、前記検出器から離間されている前記全ての請求項のいずれか１に係る装置。
【請求項１９】
信号の集光器からの光学信号を受信するための受光装置であって、前記集光器からの前記光信号を受信するための検出器と、前記信号の少なくとも一部が通過する開口部を有する信号のマスクと、を具備し、このマスクは、前記集光器と検出器との間で、前記信号の光軸に沿って前記検出器から離間され、前記信号のマスクの位置は、前記検出器のサチュレーションの閾値未満に前記信号を減衰させるような位置である、受光装置。
【請求項２０】
前記信号の共役像平面は、前記マスクと一致しているところから前記マスクと検出器との間までの範囲内に位置している請求項１９に係る装置。
【請求項２１】
信号の集光器から受光装置により受信された信号を減衰させる方法であって、この方法は、
前記集光器と検出器との間で、前記信号の光路に沿って、この信号の共役像平面が前記マスクと一致するところからこのマスクと検出器との間への範囲内に位置するように、マスクを位置させる工程と、
前記信号を投射するターゲットを、遠視野から近視野に、前記検出器に向けて次第に動かす工程と、
前記ターゲットが遠視野と近視野との間の減衰点に達した場合に前記マスクを通過する前記信号をマスクする工程と、
前記減衰点から、前記検出器のサチュレーションの閾値未満に前記信号を減衰させる工程と、を具備する方法。
【請求項２２】
前記受光装置は、請求項１乃至１８のいずれか１に係る、請求項２１に係る方法。
【請求項２３】
前記受光装置は、請求項１９又は２０に係る、請求項２１に係る方法。
【発明の詳細な説明】
【技術分野】
【０００１】
本発明は、光信号を受信するために用いられる受光装置と、特に、少なくともレーザ走査システムと、走査顕微鏡と、バーコードスキャナと、コピー機と、赤外通信装置とに適用可能な受信装置とに関する。
【背景技術】
【０００２】
受光装置は、データの通信のためにデジタル信号に変換するために光信号を受信するために用いられる。受光装置を用いる装置の例には、レーザ走査システムと、走査顕微鏡と、バーコードリーダと、光ピックアップと、遠隔制御装置と、カメラモジュールと、赤外通信装置と、航空機ライン走査システム(airborne line scanning systems)と、コピーシステムとが含まれる。
【０００３】
受光装置は、光センサ、光電子増倍管、赤外センサのような検出器の最小閾値から最大閾値までの範囲で作動するようにデザインされている。
【０００４】
この最小閾値は、複数の特定の作動パラメータにより決定されることができる。例えば、この最小閾値を、最小の許容可能な信号レベルに設定することができる。代わりに、この最小閾値をそれより低いと検出器からのデータの信頼性が許容できないレベルに設定することができる。
【０００５】
典型的に、最大閾値は、検出器が信号のサチュレーションを受ける点により決定される。サチュレーションを越えると、データの変化は、識別不能となりえて、回路の不正な作動が引き起こされ、場合によっては、検出器のキャパシティが超過されているので検出器に損傷が引き起こされる。
【０００６】
図１は、バーコードスキャナに対するターゲットの距離の関数としての信号強度を示す受光装置の典型的な特性を示している。同様な特性は、他の目的のための受光装置に対して発生されうる。
【０００７】
この特性から、上方及び下方の限界が、作動範囲を規定している。この範囲は、近視野での最大閾値から遠視野での最小閾値へと変化する曲線をなす特性により特定される。特定の用途のための受光装置を設計する際に、用途の所望の範囲と、目的とする近視野及び遠視野に近接する最小及び最大閾値に基づいて適切な検出器が選択される。
【０００８】
もし、システムの設計者が、ターゲットが遠視野にある場合に、装置にとっての信号レベルを向上させたいならば、この設計者は、光学系の信号のゲインを増加させる必要がある。すなわち、信号レベルを増幅する必要がある。しかしながら、それを行う際に、ターゲットが近接野に近づいた場合に、通常の作動範囲がこの検出器にとってのサチュレーションの閾値レベルを超過してしまう。結果として、この装置は、近接野で実効的な範囲を失う。代わりに、設計者は、上方と下方との閾値の制限内の許容可能な作動範囲を維持するように、この装置の実効性を妥協することもできる。
【０００９】
他の代替案として、比較的小さな検出器又はこの検出器の比較的小さな開口部を選択することもできる。この比較的小さな検出器により、上述のサチュレーションの問題が改善され、光学的なノイズレベルも減少される。しかしながら、このような検出器は、効率が乏しく、遠視野で比較的低い強度（信号レベル）がもたらされ、結果として、減少した信号レベルがもたらされる。さらに、どんなタイプの検出器をプリント回路基板（ＰＣＢ）組立体に位置させるにも関連する固有の困難さで、これらは、比較的小さな検出器に対して悪化される。
【発明の開示】
【発明が解決しようとする課題】
【００１０】
これらの制限を考慮して、受光装置が適用される範囲を妥協することなく、この受光装置のための信号のゲインを増加させることができることが本発明の目的である。
【課題を解決するための手段】
【００１１】
この目的を考慮して、第１の態様では、本発明は、信号集光器からの光学信号を受信するための受光装置であって、この集光器からの光学信号を受信するための検出器と、前記信号の少なくとも一部が中を通過する開口部を有する信号のマスクと、を有し、このマスクは、前記集光器と検出器との間で前記信号の光軸に沿って位置し、この信号のマスクの位置は、前記信号を前記検出器のサチュレーションの閾値未満に減衰させるような位置であり、前記信号の共役像平面は、前記マスクと一致するところからこのマスクと検出器との間の範囲内に位置している、受光装置を提供する。
【００１２】
このように、本発明は、前記受光装置のレンジの近視野端での信号を減衰させることにより信号特性を上方及び下方の制限内で調整するための柔軟性を加え、それで、設計者が遠視野での信号レベルを増加させることを可能にする。
【００１３】
本発明により提供される他の好都合な点は、物理的なスクリーンとして作用する前記マスクに関する。結果として、本発明の装置は、前記検出器をサチュレーションから保護するための保護システムを必要としていない。急速に増加する信号のための従来技術の装置では、保護システムの応答時間が、前記検出器への損傷を防止するために不十分でありうる。物理的なバリアであり、前記マスクによる前記信号の減衰は、瞬時であり、したがって、この危険をなくしている。
【００１４】
さらになお、本発明は、前記マスクを通過する光を比較的良好に制御して(greater control)、前記検出器により受信される光のレベルを安定化する能力を提供している。
【００１５】
好ましい実施形態では、前記マスクの開口部サイズは、前記検出器の領域よりも小さくてもよい。もし、前記検出器よりもむしろ、光学フィルタがこの開口部の近傍に位置しているならば、このフィルタのサイズを減少させることができる。前記装置のコストは、材料のコストであげられるので、本発明は、前記装置の全体のコストを削減するという追加的な利点を提供することができる。
【００１６】
このことにより、前記検出器のサイズとレイアウトとの広い選択が可能である。この検出器は、前記マスクを通過したいかなる点にも位置することができるためである。前記共役平面を越えると、前記信号は、それにしたがって、サイズが大きくなる。前記検出器の実効領域を最大限に使用するために、信号の正確なビームサイズにこの検出器を正確に合わせる目的で、特定のサイズの検出器を共役平面の後ろの(thereafter)いかなる点にも置くことができる。
【００１７】
代わりに、もし、前記検出器の位置付けが、例えば既知の装置に対して、固定された距離である場合、この対応する点でのビームサイズを決定することができ、用途のために適当な検出器を選択することができる。
【００１８】
遠視野では、像平面は、前記マスクの位置に位置し、これは、それにしたがって、前記信号にとっての最小ビームサイズの位置でもあるだろう。本発明では、前記検出器は、マスクから分離され、ビームサイズは、開口部ホールを通過後、増加し、最終的に、比較的大きなビームサイズで検出器に投射する。この大きなビームサイズは、検出器の実効領域全体を覆い、この領域を完全に使用する。このことは、塵、傷、汚れ、接着剤残余物などを含む、前記検出器の局所的な欠陥の効果を低減するという利点を有しうる。このことは、任意のノイズや他のノイズを実質的に減少させる他の利点を有しているだろう。この結果、Ｓ／Ｎ比が向上する。
【００１９】
製造コストに関して、前記マスクは、前記検出器に関連する開口部に置き換わることができる。典型的な配置では、前記開口部と検出器とは、近接しており、通常互いに接着されている。ＰＣＢ組立体と使用するための装置のスケールでは、開口部と検出器とを整列させる難しさの程度は、重大である。本発明にとって、この開口部を前記検出器から別の要素として有していることにより、この開口部と検出器とを接着することによるだけでなく、基礎的な装置の一部として、整列を実行することが可能となる。この結果、前記装置が射出成形されたハウジングを有することができる場合には、前記開口部と検出器とを、このハウジングの中に非常に正確に、比較的に容易に取り付けることができる。したがって、製造コストが低減され、一方で、依然として、高いレベルの質を維持している。
【００２０】
さらになお、前記マスクに近接しうる光学フィルタと、検出器との間には隙間があるので、装置の間の(during)検出器表面での接着剤のガス抜けを防止する助けになるかもしれない。
【００２１】
好ましい実施形態では、信号レベル（Ｓ）を犠牲にすることなく、それた光を減少させることにより、ノイズのレベルをさらに減少させることができる。前記検出器からある距離で前記マスクを使用すると、前記信号が前記開口部を通して投射され、かつ、前記検出器により受信される角度範囲が減少する。
【００２２】
このことは、前記開口部を通過したいかなる光も前記検出器により受信される従来技術と異なっている。結果として、異なる角度の範囲で入るそれた光は、その角度範囲（視野、ＦＯＶ）内で前記検出器と相互作用するのみである。減少した範囲のために、それた光の結果から生じるノイズのレベル（Ｎ）は、等しく減少するだろう。したがって、Ｓ／Ｎ比は、向上するだろう。
【００２３】
好ましい実施形態では、この装置は、許容レベル未満の信号レベルのような特定の複数のパラメータに基づいて信号のゲインを自動的に調節することができる、自動的な光学的なゲイン補正装置として機能することができる。
【００２４】
好ましい実施形態では、前記マスクは、固定された開口部、調節可能な開口部、開口部ディスク、ストップ(stop)、シャッタ、ホール(hole)、コーティングされた基板又は光学帯域通過フィルタのいずれでもよい。
【００２５】
第２の態様では、本発明は、信号の集光器からの光学信号を受信するための受光装置であって、前記集光器からの前記光信号を受信するための検出器と、前記信号の少なくとも一部が通過する開口部を有する信号のマスクと、を有し、このマスクは、前記集光器と検出器との間で、前記信号の光軸に沿って前記検出器から離間され、前記信号マスクの位置は、前記検出器のサチュレーションの閾値未満に前記信号を減衰させるような位置である、受光装置を提供する。
【００２６】
第３の態様では、本発明は、信号の集光器から受光装置により受信された信号を減衰させる方法であって、この方法は、  
前記集光器と検出器との間で、前記信号の光路に沿って、この信号の共役像平面が前記マスクと一致するところからこのマスクと検出器との間への範囲内に位置するように、マスクを位置させる工程と、  
前記信号を投射するターゲットを、遠視野から近視野に、前記検出器に向けて次第に動かす工程と、  
前記ターゲットが遠視野と近視野との間の減衰点(attenuation point)に達した場合に前記マスクを通過する前記信号をマスクする工程と、  
前記減衰点から、前記検出器のサチュレーションの閾値未満に前記信号を減衰させる工程と、を有する方法を提供する。
【発明を実施するための最良の形態】
【００２７】
本発明の可能な配置を示す添付された図面を参照して本発明をさらに説明することは、都合がよいだろう。本発明の他の配置が可能であり、結果として、添付されている図面に特殊な事項が、本発明の上述の説明の一般性に優先するとして理解されるべきではない。
【００２８】
図１は、従来技術の受光器装置の特性１０を示している。この場合、この受光器装置は、レーザ走査システムと共に使用するために適用されており、したがって、この特性は、受信した光を装置の出口窓から、バーコードのような情報媒体であるターゲットへの距離の関数として測定する。この装置の作動信号範囲は、検出器のサチュレーションを示す最大閾値１５とこの検出器にとっての最小の受信可能な信号レベルにより代表される最小閾値２０との中に制限されている。特性１０をこの最大閾値１５と最小閾値２０との中でマッピングすると、近視野(near-field)２５から遠視野(far-field)３０までのこのデバイスにとっての許容可能な作動距離が規定される。もし、作動パラメータを変化させる結果として、設計者がこの装置の信号のゲインを増加させたいとならば、このことは、特性１０を比例して上方に新しい特性３３へとシフト３２させる効果を有するだろう。遠視野での信号レベルを向上させる一方で、対応する効果は、利用可能な作動距離を新たな近視野の限界２７へと縮小させることである。この結果、信号のゲインを増加させる処置は、装置の作動範囲を縮小する対応する効果を有している。
【００２９】
図２ａ乃至２ｅは、本発明による装置の様々な概略的な図を示している。この配置では、検出器４０と、開口部４７を有するマスク４５と、この場合はレンズ５０である集光器とが位置している。信号６０は、ターゲット５５ａ乃至５５ｅから光軸６６に沿って投射され、装置を通過して検出器に至る。
【００３０】
図２ａでは、極めて遠い距離のところにあるターゲット５５ａが、光学信号６０をレンズ５０に投射し、このレンズは、ターゲット５５ａからの距離が与えられると、光を非常に狭い発散角(divergence angle)５６ａで受ける。引き続いて、レンズ５０は、信号６５をマスク４５の開口部４７を介して検出器４０に向ける。遠視野では、向けられた信号６５は、マスク４５の中又はすぐ手前で共役像平面７０ａを生ずる。この配置では、信号の全体が検出器４０に向けられている。
【００３１】
図２ｂでは、ターゲット５５ｂは、設計により遠視野に(at the design far field)に位置し、この結果、投射された信号６５は、マスク４５の開口部４７の直接中に共役平面７０ｂを生ずる。この距離では、ターゲット５５ｂからレンズ５０により受けられる光の発散角５６ｂは、わずかに大きく、したがって、受けられた光パワーもより大きい。図２ｃは、作動範囲内のターゲット５５ｃを示している。ターゲット５５ｃがレンズ５０に近づくにつれて共役像平面７０ｃは、検出器４０に向かって移動し、この結果、向けられた信号６５が開口部４７の周辺近くに動かされることに留意されたい。
【００３２】
図２ｄは、マスクが向けられた信号６５と干渉を始める所定の位置のターゲット５５ｄを示している。この場合、共役像平面７０ｄは、明らかにマスクから出て、検出器４０に向かって進んでいる。この位置から、図２ｅは、ターゲット５５ｅが、次第にレンズに近づくと、共役像平面７０ｅは検出器に向かって対応してシフトし、向けられた信号６５は、次第にマスクされ８０、この結果、検出器４０により受信される信号を減少させる。
【００３３】
ターゲットを中間位置５５ｃからイミネントマスキング(imminent masking)５５へそれから近接野５５ｅに近づけて前進させると、このターゲットからの発散角も５６ｃから５６ｅに次第に増加し、検出器４０により受信される光パワーも増加する。
【００３４】
図３は、本発明による受光器装置３５の特性を示している。図１の特性を導出する同一のパラメータに対して、この受光器装置３５のベース特性(base characteristic)１０は、この特性の遠視野端で同一のままである。最大閾値１５と最小閾値２０とがまた上述の特性と同じであり、したがって、本発明の効果の比較ができるということになる。ターゲット５５ａ乃至５５ｃの様々な位置は、従来技術の位置と同一であり、特性９０、９５に沿って複数の点を形成している。ターゲット５５ｄは、向き付けられた信号６５が前記開口部によりイミネントな干渉を受けるように位置し、これは、従来技術の特性の発散点(a point of divergence)１００ａ乃至１００ｄに対応している。この発散点は、最大の１００ａから最小の１００ｄまで開口部のサイズと共に変化する。ターゲット５５ｅが次第にレンズ５０に近づくにつれて、向けられた信号６５は、マスクされ８０、したがって、発散特性１１０ａ乃至１１０ｄを生じる。
【００３５】
本発明の効果は、最大閾値１５よりも著しく低い、最大受信信号１００ａ乃至１００ｄを生じることである。この結果、設計者は、この最大閾値を越えることなく信号のゲインを自由に増加させることができる。このことは、新しい特性１１０ａ乃至１１０ｄの比較的平坦なプロファイルにより明示され、従来技術の装置にとって利用可能な信号のゲインより信号のゲインを操作するための著しい柔軟性がもたらされる。本発明と対照的に、従来技術の装置の近視野限界２５は、装置により許容される最大信号強度を規定する。逆に、本発明による装置の近接野位置は、実際、最大閾値１５よりもむしろ最小閾値２０に近づく。本発明の特性１１０ａ乃至１１０ｄと、従来技術の特性との比較により、従来技術の装置がサチュレーション２５に達する点で、同一の距離１０５ａ乃至１０５ｄで本発明の信号は、比較して著しく小さく、確かに装置の有用な範囲の上限ではないことが示されている。
【００３６】
このように信号ゲインの増加は、実際に、遠視野位置のためになるのと同じ程度に近視野位置のためになるだろう。
【００３７】
図４ａ乃至４ｃは、従来技術に比較して、ノイズ低減に関して、分離したマスク／検出器の効果を示している。図４ａと４ｂとは、従来技術の２つの代わりの配置を示している。両方が、開口部を有し、開口部を有していない。
【００３８】
図４ａは、開口部がなく、この結果、それた光１２０が周囲の面から反射されて検出器１２１ａに当たりうる場合を示している。さらに、この検出器に当たっているビームのサイズが小さいので、当たっている点でこの検出器に位置しているどんな傷、塵、又は他の欠陥１２２ａも、信号に不利に影響するだろう。図４ｂでは、開口部が用いられている従来技術の場合は、この開口部が単に検出器の周囲の部分をブロックしているという点で、実質的に図４ａと同じである。それた光１２０は、依然として、検出器１２１ｂに当たることができ、この検出器におけるビームサイズも依然として小さい。したがって、像点(image point)での欠陥１２２ｂは、依然として重大なノイズを生ずるだろう。
【００３９】
図４ｃは、本発明による配置を示している。開口部を検出器４０から分離することにより、向けられた信号６５を検出器により受信することができる角度（ＦＯＶ）が減少する。この結果、この減少したＦＯＶの外側に入るそれた光１２０は、前記検出器により受信されず１２１ｃ、配置の変化で信号レベルを犠牲にすることなくそれた光により発生されたノイズのレベルが低減されるという効果がある。
【００４０】
同様に、マスクと検出器とを分離すると、検出器のところでビームサイズの増加がもたらされる。この結果、図４ａと４ｂとに示されているタイプの欠陥１２２ｃは、信号全体にかなり減少した影響しか与えられないだろう。このように、分離と減少したＦＯＶとの組合せにより、従来技術に比較して同じ条件で著しく増加したＳ／Ｎがもたらされる。
【００４１】
図５は、レーザ源１２９と集束レンズ１２８とを備えている出力光学装置１２６と、光がターゲット５５に向けられ対応してターゲット５５から光を受ける走査装置１２４と、を有している光学システムの概略を示している。ターゲット５５から反射され走査装置１２４を通る光は、それから、本発明による受光装置３５に向けられる。
【００４２】
図６ａと図６ｂとは、本発明の特定の実施形態を示している。受光装置１３０は、射出成形を介して製造されたハウジング１２７をさらに有している。従来技術の検出器に開口部を位置させるのにこの開口部が検出器に接着されることが必要とされていたが(where)、本発明では、この非常に緻密で困難な工程は、開口部１４５がすでにハウジングの部分であるハウジングのみの中に検出器１５０を取り付けることにより避けられる。さらに、光学フィルタ１４０が開口部に近接して位置され、これ(which)は、他の部材とレンズ１３５から向けられた投射された信号から光軸に沿っている。
【００４３】
開口部を検出器に位置させて接着することにある製造のために必要とされる正確さよりもむしろ、本発明は、射出成形のずっと簡単で制御可能な工程を介してこの正確さを維持する。この結果、上述の有利な点に加えて、本発明は、また、製造の容易さ、従ってコストに著しい有利な点を有している。
【００４４】
図７は、本発明の他の有利な点を示している。検討されたように、マスク４５を検出器１５５ａ乃至１５５ｃから分離することにより、従来技術に比較して検出器のところでのより大きなビームサイズがもたらされる。このビームサイズは、マスクからの距離と共に変化することになる。したがって、２つの例に示されているように、検出器の実効領域を最大化させるための範囲は増加される。
【００４５】
既知のサイズの検出器１５５ａにたいして、ビームサイズに対応するためのマスクからの距離を計算することができる。本発明の装置は、このサイズと距離とに基づいて構成される。
【００４６】
代わりに、所定の装置のサイズに対して、したがって、検出器が位置されることができる固定された距離に対して、この点でのビームサイズを計算することができ、このサイズに整合する検出器１５５ａ乃至１５５ｃを選択することができる。従来技術は、開口部を使用しても使用しなくてもこのような有利な点を全く提供しない。
【００４７】
例  
本発明の有効性を示すにあたって、様々な条件に対する構成要素の配置が与えられている。
【表１】
2008516446.tif 000003
【図面の簡単な説明】
【００４８】
【図１】従来技術の受光装置の特性である。
【図２ａ】ターゲットが検出器に次第に近づいて動いているときの、本発明による受光装置の概略図である。
【図２ｂ】ターゲットが検出器に次第に近づいて動いているときの、本発明による受光装置の概略図である。
【図２ｃ】ターゲットが検出器に次第に近づいて動いているときの、本発明による受光装置の概略図である。
【図２ｄ】ターゲットが検出器に次第に近づいて動いているときの、本発明による受光装置の概略図である。
【図２ｅ】ターゲットが検出器に次第に近づいて動いているときの、本発明による受光装置の概略図である。
【図３】図２ａ乃至図２ｅの受光装置の特性である。
【図４ａ】従来技術の一受光装置の概略図である。
【図４ｂ】従来技術の他の受光装置の概略図である。
【図４ｃ】本発明の実施形態による受光装置の概略図である。
【図５】本発明による受光装置を組み込んだ光学装置の概略図である。
【図６ａ】本発明の一実施形態の等角図である。
【図６ｂ】図６ａの実施形態の断面図である。
【図７】本発明による受光装置の他の概略図である。
【図１】
2008516446.tif 000004
【図２ａ】
2008516446.tif 000005
【図２ｂ】
2008516446.tif 000006
【図２ｃ】
2008516446.tif 000007
【図２ｄ】
2008516446.tif 000008
【図２ｅ】
2008516446.tif 000009
【図３】
2008516446.tif 000010
【図４ａ】
2008516446.tif 000011
【図４ｂ】
2008516446.tif 000012
【図４ｃ】
2008516446.tif 000013
【図５】
2008516446.tif 000014
【図６ａ】
2008516446.tif 000015
【図６ｂ】
2008516446.tif 000016
【図７】
2008516446.tif 000017
【国際調査報告】
2008516446.tif 000018
2008516446.tif 000019